(57)【特許請求の範囲】
【請求項１】
ホストコンピュータと通信可能な自動取引装置であって、
前記自動取引装置の筐体内部に固定され、入出金するための紙幣又は硬貨を一時的に収納するスタッカと、
前記スタッカに収納されている紙幣又は硬貨の枚数情報を格納するメモリと、
前記スタッカの扉を開閉するための鍵が操作されたことを検出するスタッカ開閉検出部と、
前記スタッカ開閉検出部によって前記スタッカの扉を閉めるための鍵操作を検出すると、前記スタッカに収納されている紙幣又は硬貨の枚数を計数する計数部と、
前記メモリに格納された紙幣又は硬貨の枚数情報と前記計数部によって計数された紙幣又は硬貨の枚数を比較して一致するか否かを判断する比較判断部と、
前記比較判断部によって一致しないと判断された場合、前記比較判断部によって判断された判断結果を前記ホストコンピュータに送信する送信部と、
を備えることを特徴とする自動取引装置。
【請求項２】
前記スタッカ開閉検出部によって前記スタッカの扉を開けるための鍵操作を検出すると、操作者を撮影して第１操作者画像を取得し、前記スタッカ開閉検出部によって前記スタッカの扉が閉まった状態を検出すると、前記操作者を撮影して第２操作者画像を取得する画像取得部、
を備え、
前記送信部は、前記画像取得部によって取得された前記第１操作者画像及び前記第２操作者画像を前記ホストコンピュータに送信する、ことを特徴とする請求項１に記載の自動取引装置。
【請求項３】
前記計数部は、計数した紙幣又は硬貨の枚数を前記メモリに格納する、ことを特徴とする請求項１又は２に記載の自動取引装置。
【請求項４】
ホストコンピュータと通信可能な自動取引装置において実行される在高管理方法であって、
前記自動取引装置は、
前記自動取引装置の筐体内部に固定され、入出金するための紙幣又は硬貨を一時的に収納するスタッカと、
前記スタッカに収納されている紙幣又は硬貨の枚数情報を格納するメモリと、
制御部と、
を備え、
前記制御部は、
前記スタッカの扉を開閉するための鍵が操作されたことを検出し、
前記スタッカの扉を閉めるための鍵操作を検出すると、前記スタッカに収納されている紙幣又は硬貨の枚数を計数し、
前記メモリに格納された紙幣又は硬貨の枚数情報と前記計数部によって計数された紙幣又は硬貨の枚数を比較して一致するか否かを判断し、
一致しないと判断された場合、判断結果を前記ホストコンピュータに送信する、
ことを特徴とする在高管理方法。
【請求項５】
通信可能に接続されたホストコンピュータと自動取引装置を有する自動取引システムであって、
前記自動取引装置は、
前記自動取引装置の筐体内部に固定され、入出金するための紙幣又は硬貨を一時的に収納するスタッカと、
前記スタッカに収納されている紙幣又は硬貨の枚数情報を格納するメモリと、
前記スタッカの扉を開閉するための鍵が操作されたことを検出するスタッカ開閉検出部と、
前記スタッカ開閉検出部によって前記スタッカの扉を閉めるための鍵操作を検出すると、前記スタッカに収納されている紙幣又は硬貨の枚数を計数する計数部と、
前記メモリに格納された紙幣又は硬貨の枚数情報と前記計数部によって計数された紙幣又は硬貨の枚数を比較して一致するか否かを判断する比較判断部と、
前記比較判断部によって一致しないと判断された場合、前記比較判断部によって判断された判断結果を前記ホストコンピュータに送信する送信部と、
を備え、
前記ホストコンピュータは、前記自動取引装置から送信された判断結果を受信する受信部、
を備えることを特徴とする自動取引システム。
【発明の詳細な説明】
【技術分野】
【０００１】
本発明は、コンビニエンスストアや金融機関等の店舗に設置され、利用者との取引を自動で行う現金自動預金支払機（ＡＴＭ：Automated Teller Machine）等の自動取引装置、自動取引装置の在高管理方法及び自動取引システムに関する。
【背景技術】
【０００２】
従来、自動取引装置は、利用者による操作に応じて、その利用者が要求する入金取引や出金取引等の各種取引を処理する。
【０００３】
このような自動取引装置は、紙幣を処理する紙幣ユニットと、硬貨を処理する硬貨ユニットを備えている。
【０００４】
紙幣ユニットは、紙幣入出金機構、紙幣鑑別機構および紙幣収納機構を備える。紙幣入出金機構は、利用者が入出金口から挿入した紙幣の入金や入出金口から利用者へ紙幣を出金する機構である。紙幣鑑別機構は、入金または出金された紙幣の真贋や金種を鑑別する機構である。
【０００５】
紙幣収納機構は、紙幣スタッカ、紙幣カセット、紙幣リジェクトカセット等を含む。紙幣スタッカは、紙幣収納機構に固定された収納部であり、入出金のための紙幣を一時的に収納する。紙幣カセットは、紙幣スタッカに紙幣を補充したり、紙幣スタッカの紙幣を回収したりするカセットである。紙幣リジェクトカセットは、再度流通させるのに適さない紙幣を収納するカセットである。
【０００６】
硬貨ユニットも、紙幣ユニットと同様、硬貨入出金機構、硬貨鑑別機構および硬貨収納機構を備える。また、硬貨収納機構も、紙幣収納機構と同様、硬貨スタッカ、硬貨カセット、硬貨リジェクトカセット等を含む。
【０００７】
このような自動取引装置において、例えば紙幣は、紙幣カセットから紙幣スタッカへの移動、紙幣スタッカから紙幣カセットへの移動、入出金口から紙幣スタッカへの移動、紙幣スタッカから入出金口への移動が通常である。そのため、紙幣スタッカが、直接開閉されることはほとんどない。硬貨スタッカについても同様である。
【０００８】
また、現金運用センタからの貨幣補充命令を受けると、補充カセットから入出金ホッパスタッカに貨幣を繰り出し搬送するよう制御する自動取引装置の貨幣管理システムが開示されている（例えば、特許文献１参照。）。
【先行技術文献】
【特許文献】
【０００９】
【特許文献１】特開平１１−１７５８１２号公報
【発明の概要】
【発明が解決しようとする課題】
【００１０】
しかしながら、紙幣スタッカ又は硬貨スタッカ内の異物等の除去を行う場合等は、紙幣スタッカ又は硬貨スタッカの開閉の前後で、紙幣スタッカ又は硬貨スタッカ内の金額の相違が発生する可能性がある。
【００１１】
図１は、従来の操作者処理の流れを示すフローチャートである。
ＡＴＭ等の自動取引装置が運用中（Ｓ１０１）において、例えば、紙幣スタッカ内の異物等の除去を行う場合、専門の係員である操作者は、ＡＴＭを手動で休止させる（Ｓ１０２）。
【００１２】
その後、ＡＴＭの背面の扉を開け、紙幣ユニットをＡＴＭから引き出し（Ｓ１０３）、紙幣スタッカの扉をスタッカ鍵で開ける（Ｓ１０４）。通常、紙幣スタッカや硬貨スタッカの扉を開閉するためのスタッカ鍵は、例えば、金融機関の支店単位で管理している。操作者は、管理者承認の上、そのスタッカ鍵を借用するようになっており、運用でセキュリティを保持している程度である。
【００１３】
この時、何らかの原因で紙幣スタッカ内の紙幣が紛失する可能性がある（Ｓ１０５）。
そして、操作者は、紙幣スタッカ内の異物等を除去した後、紙幣スタッカをスタッカ鍵で閉め（Ｓ１０６）、紙幣ユニットをＡＴＭにセットし（Ｓ１０７）、ＡＴＭのリセットボタンを押下してＡＴＭをリセットする（Ｓ１０８）。
【００１４】
これにより、ＡＴＭの運用が再開する（Ｓ１０９）。
その後の現物確認で金額の相違が発覚することにより、例えば、紙幣の紛失が判明すると、紛失した紙幣は出納で回収処理される（Ｓ１１０）。
【００１５】
また、従来の自動取引装置は、自動取引装置内の現金情報をホストコンピュータ上で在高管理している。そして、通常は、例えば月一回程度、自動取引装置内の現金とホストコンピュータでの管理上の在高との突合を実施しているだけである。よって、紙幣スタッカ又は硬貨スタッカ内の現金の紛失が発生した場合は、不明金として処理されているに過ぎない。
【００１６】
すなわち、紙幣スタッカ又は硬貨スタッカの扉が開閉された場合、紙幣スタッカ又は硬貨スタッカ内の現金の額が不明確であるにも関わらず、紙幣スタッカ又は硬貨スタッカ内の現金の再鑑別を実施し、在高確定する処理を実行していない。そのため、紙幣スタッカ又は硬貨スタッカ内の現金の紛失が発生しても、紛失したことを検出することが困難である、という問題点があった。
【００１７】
本発明は、上述のような実状に鑑みたものであり、自動取引装置から紙幣スタッカ又は硬貨スタッカの扉が開けられた際に、紙幣スタッカ又は硬貨スタッカから現金が紛失したことを検出することが可能な自動取引装置、自動取引装置の在高管理方法及び自動取引システムを提供することを目的とする。
【課題を解決するための手段】
【００１８】
本発明は、上記課題を解決するため、下記のような構成を採用した。
すなわち、本発明の一態様によれば、本発明の自動取引装置は、ホストコンピュータと通信可能な自動取引装置であって、前記自動取引装置の筐体内部に固定され、入出金するための紙幣又は硬貨を一時的に収納するスタッカと、前記スタッカに収納されている紙幣又は硬貨の枚数情報を格納するメモリと、前記スタッカの扉を開閉するための鍵が操作されたことを検出するスタッカ開閉検出部と、前記スタッカ開閉検出部によって前記スタッカの扉を閉めるための鍵操作を検出すると、前記スタッカに収納されている紙幣又は硬貨の枚数を計数する計数部と、前記メモリに格納された紙幣又は硬貨の枚数情報と前記計数部によって計数された紙幣又は硬貨の枚数を比較して一致するか否かを判断する比較判断部と、前記比較判断部によって一致しないと判断された場合、前記比較判断部によって判断された判断結果を前記ホストコンピュータに送信する送信部とを備えることを特徴とする。
【００１９】
また、本発明の自動取引装置は、前記スタッカ開閉検出部によって前記スタッカの扉を開けるための鍵操作を検出すると、操作者を撮影して第１操作者画像を取得し、前記スタッカ開閉検出部によって前記スタッカの扉を閉めるための鍵操作を検出すると、前記操作者を撮影して第２操作者画像を取得する画像取得部を備え、前記送信部が、前記画像取得部によって取得された前記第１操作者画像及び前記第２操作者画像を前記ホストコンピュータに送信することが望ましい。
【００２０】
また、本発明の自動取引装置は、前記計数部が、計数した紙幣又は硬貨の枚数を前記メモリに格納することが望ましい。
【００２１】
また、本発明の一態様によれば、本発明の自動取引装置の在高管理方法は、ホストコンピュータと通信可能な自動取引装置において実行される在高管理方法であって、前記自動取引装置が、前記自動取引装置の筐体内部に固定され、入出金するための紙幣又は硬貨を一時的に収納するスタッカと、前記スタッカに収納されている紙幣又は硬貨の枚数情報を格納するメモリと、制御部とを備え、前記制御部が、前記スタッカの扉を開閉するための鍵が操作されたことを検出し、前記スタッカの扉を閉めるための鍵操作を検出すると、前記スタッカに収納されている紙幣又は硬貨の枚数を計数し、前記メモリに格納された紙幣又は硬貨の枚数情報と前記計数部によって計数された紙幣又は硬貨の枚数を比較して一致するか否かを判断し、一致しないと判断された場合、判断結果を前記ホストコンピュータに送信することを特徴とする。
【００２２】
また、本発明の一態様によれば、本発明の自動取引システムは、通信可能に接続されたホストコンピュータと自動取引装置を有する自動取引システムであって、前記自動取引装置が、前記自動取引装置の筐体内部に固定され、入出金するための紙幣又は硬貨を一時的に収納するスタッカと、前記スタッカに収納されている紙幣又は硬貨の枚数情報を格納するメモリと、前記スタッカの扉を開閉するための鍵が操作されたことを検出するスタッカ開閉検出部と、前記スタッカ開閉検出部によって前記スタッカの扉を閉めるための鍵操作を検出すると、前記スタッカに収納されている紙幣又は硬貨の枚数を計数する計数部と、前記メモリに格納された紙幣又は硬貨の枚数情報と前記計数部によって計数された紙幣又は硬貨の枚数を比較して一致するか否かを判断する比較判断部と、前記比較判断部によって一致しないと判断された場合、前記比較判断部によって判断された判断結果を前記ホストコンピュータに送信する送信部を備え、前記ホストコンピュータが、前記自動取引装置から送信された判断結果を受信する受信部を備えることを特徴とする。
【発明の効果】
【００２３】
本発明によれば、自動取引装置から紙幣スタッカ又は硬貨スタッカの扉を開閉するための鍵操作がされた際に、紙幣スタッカ又は硬貨スタッカから現金が紛失したことを自動的に検出することが可能となる、という効果を奏する。また、これにより、自動取引装置の精査業務を無人化するとともに精査時間を大幅に短縮できる、という効果を奏する。
【図面の簡単な説明】
【００２４】
【図１】従来の操作者処理の流れを示すフローチャートである。
【図２】本実施の形態の自動取引システムの適用環境を示す図である。
【図３】本実施の形態の自動取引装置の表側の外観を示す図である。
【図４】本実施の形態の自動取引装置の裏側の外観を示す図である。
【図５】本実施の形態の紙幣ユニットの構成例を示すブロック図である。
【図６】本実施の形態の操作者処理の流れを示すフローチャートである。
【図７】一致情報として送信する精査結果の例を示す図である。
【図８】不一致情報として送信する精査結果の例を示す図である。
【図９】本実施の形態の自動取引装置の機能ブロックを示す図である。
【図１０】本実施の形態の在高管理処理の流れを示すフローチャートである。
【発明を実施するための形態】
【００２５】
以下、本発明の実施の形態について、図面を参照しながら詳細に説明する。
図２は、本実施の形態の自動取引システムの適用環境を示す図である。
【００２６】
図２において、自動取引システムは、例えば、銀行等の金融機関の店舗又はコンビニエンスストア等の店舗等に設置された現金自動預金支払機等の自動取引装置１と、金融機関の管理するホストコンピュータ２とを備える。自動取引装置１は、ネットワーク３を介してホストコンピュータ２に通信可能に接続されている。ネットワーク３は、インターネット、イントラネット又は自動取引システムのための専用の通信網である。
【００２７】
図３は、本実施の形態の自動取引装置の表側の外観を示す図である。
図３において、自動取引装置１は、通帳挿入部１０、カード挿入部１１、硬貨入出金部１２、紙幣入出金部１３及び表示入力部１４を備えている。
【００２８】
通帳挿入部１０は、通帳を受け付け、たとえば通帳の側面に添付されている磁気ストライブ部などに記憶されているデータの読み込み、通帳記入など一定の処理を行った後に通帳を返却する。
【００２９】
カード挿入部１１は、キャッシュカードを受け付け、キャッシュカードの磁気ストライブ部に記憶されているデータを読み込むなど一定の処理を行った後にキャッシュカードを返却する。また、カード挿入部１１は、振込カードの発行の際には、作成された振込カードを排出し、振込カードの利用の際には、振込カードを受け付け、振込カード内に記憶されているデータを読み込むなど一定の処理を行った後に振込カードを返却する。
【００３０】
硬貨入出金部１２は、硬貨の入金および出金を行う。また、紙幣入出金部１３は、紙幣の入金および紙幣の出金を行う。
【００３１】
表示入力部１４は、取引内容メニューや取引結果の案内等を表示したり、処理要求などを受け付けたりする。
【００３２】
図４は、本実施の形態の自動取引装置の裏側の外観を示す図である。
図４において、自動取引装置１は、外扉３１及び内扉３２が開放された状態が示されている。自動取引装置１の内部は、上段と下段の２段に仕切られている。
【００３３】
自動取引装置１の上段には、管理操作パネル３３、ジャーナルプリンタ３４、カード読取装置３５、通帳発行機３６及び通帳プリンタ３７が設置されている。
【００３４】
管理操作パネル３３は、紙幣、硬貨、伝票類の補充、交換、機器の修理、故障時の点検などのために専門の操作者によって操作することができる。また、運用状態をモニタする機能があり、残量が紙幣の万円券、５千円券、千円券毎に表示される。また、硬貨の残量も硬貨毎に、その残量が表示され、適宜、必要な紙幣や硬貨を必要量補充する目的で使用される。また、管理操作パネル３３は、保守モードと運用モードに切り換える機能を有しており、操作者は、この管理操作パネル３３を使用して切り換える。
【００３５】
更に、管理操作パネル３３には、カメラ４０が、例えば、管理操作パネル３３の正面に設けられている。カメラ４０は、例えばデジタルカメラであり、管理操作パネル３３を操作する操作者の画像、例えば顔画像を撮影する。そして、取得した画像を撮像日時とともに所定のメモリに格納する。
【００３６】
ジャーナルプリンタ３４は、ジャーナル用紙に取引内容や発生日時などを印刷する。
カード読取装置３５は、カード挿入部１１から挿入されたキャッシュカードの磁気ストライプから、顧客の暗証番号、口座番号、口座人氏名などの口座情報を読み取る。
【００３７】
通帳発行機３６は、通帳の繰越し時に新規の通帳を発行する。
通帳プリンタ３７は、通帳挿入部１０から挿入された顧客の通帳に取引日時や取引内容などを記帳する。
【００３８】
自動取引装置１の下段には、紙幣を処理する紙幣ユニット３８及び硬貨を処理する硬貨ユニット３９が設置されている。
【００３９】
紙幣ユニット３８は、紙幣入出金機構、紙幣識別機構および紙幣収納機構を備える。紙幣収納機構は、紙幣スタッカ、紙幣カセット、紙幣リジェクトカセット等を含む。また、硬貨ユニット３９は、硬貨入出金機構、硬貨識別機構および硬貨収納機構を備える。硬貨収納機構は、硬貨スタッカ、硬貨カセット、硬貨リジェクトカセット等を含む。
【００４０】
このように、紙幣ユニット３８と硬貨ユニット３９は、同様の構成である。よって、以下の説明においては、紙幣ユニット３８の説明を硬貨ユニット３９に適用可能である。また、紙幣スタッカ又は硬貨スタッカを単にスタッカと記載し、紙幣カセット又は硬貨カセットを単にカセットと記載し、紙幣リジェクトカセット又は硬貨リジェクトカセットを単にリジェクトカセットと記載して説明する。
【００４１】
図５は、本実施の形態の紙幣ユニットの構成例を示すブロック図である。
図５において、紙幣ユニット３８は、入出金部５１、一時保留部５２、鑑別部５３、カセット５４、リジェクト部５５、スタッカ５６、計数用スタッカ５７及び搬送部５８を備える。
【００４２】
入出金部５１は、入金対象とする紙幣の投入及び出金対象とする紙幣の排出に用いられる。入出金部５１には、不図示のシャッタが配置されており、シャッタは、入金時及び出金時に、開かれる。
【００４３】
一時保留部５２は、鑑別部５３による鑑別の結果、正常券と確認された紙幣を一時的に収納する。
【００４４】
鑑別部５３は、紙幣が正常券であるか不明券であるか等を鑑別すると共に、正常券の場合には紙幣の金種を特定する。また、鑑別部５３には、金種別のカウンタが設けられており、例えば、カセット５４からスタッカ５６へ紙幣を補充する際に、特定した金種に対応するカウンタをインクリメントすることで、金種ごとにスタッカ５６へ補充した枚数をカウントする。また、例えば、カセット５４内の紙幣の在高を確定する際に、特定した金種に対応するカウンタをインクリメントすることで、金種ごとの在高を確定する。
【００４５】
カセット５４は、スタッカ５６へ紙幣を外部から補充し、スタッカ５６から紙幣を回収したり補充したりする。カセット５４の内部には、カセット５４内の紙幣が空（エンプティ）になったこと検出する不図示のセンサが設置されている。
【００４６】
リジェクト部５５は、カセット５４内部に設けられており、補充又は回収時に鑑別部５３により不明券とされた紙幣を収納する。
スタッカ５６は、金種別に紙幣を収納する。
【００４７】
計数用スタッカ５７は、カセット５４又はスタッカ５６の在高を確定するための計数処理を行う際に使用される。例えば、スタッカ５６内の在高を確定する際には、スタッカ５６から紙幣が一枚ずつ繰出され、鑑別部５３へ搬送され、鑑別部５３において鑑別処理と紙幣のカウントが行われた後、紙幣は計数用スタッカ５７へ一時的に収容される。そして、スタッカ５６内の全ての紙幣の処理が終わった後に、紙幣は計数用スタッカ５７からスタッカ５６へと再び搬送される。なお、計数用スタッカ５７の内部には、計数用スタッカ５７内の紙幣が空になったこと検出する不図示のセンサが設置されている。
【００４８】
搬送部５８は、一時保留部５２、カセット５４、リジェクト部５５、スタッカ５６又は計数用スタッカ５７等から紙幣を一枚ずつ繰出すための複数の繰出ローラ、紙幣を搬送するための複数の搬送ベルト、搬送ベルトを動かす複数の搬送ローラ、繰出ローラと搬送ローラを駆動させるための駆動モータなどで構成される。例えば、紙幣補充時において、カセット５４から一枚ずつ繰出された紙幣は、鑑別部５３に搬送され、鑑別の結果、紙幣が正常券とされた場合には、紙幣の金種に対応するスタッカ５６へ搬送され、収納される。鑑別の結果、紙幣が不明券とされた場合には、リジェクト部５５へ搬送され、収納される。
【００４９】
図６は、本実施の形態の操作者処理の流れを示すフローチャートである。図７は、一致情報として送信する精査結果の例を示す図である。図８は、不一致情報として送信する精査結果の例を示す図である。
【００５０】
ＡＴＭ等の自動取引装置１が運用中（Ｓ６０１）において、例えば、紙幣スタッカ（スタッカ５６）内の異物等の除去を行う場合、専門の係員である操作者は、自動取引装置１を手動で休止させる（Ｓ６０２）。
【００５１】
その後、自動取引装置１の背面の扉（外扉３１及び内扉３２）を開け、紙幣ユニット３８を自動取引装置１から引き出し（Ｓ６０３）、紙幣スタッカをスタッカ鍵で開ける（Ｓ６０４）。
【００５２】
紙幣スタッカを開けるための鍵操作を検出すると、自動取引装置１内に配設されたカメラ４０が操作者を撮像し、その画像データをメモリ内に格納する（Ｓ６０５）。
【００５３】
この時、紙幣スタッカは開けられた状態であるので、何らかの原因で紙幣スタッカ内の紙幣が紛失する可能性がある（Ｓ６０６）。
【００５４】
そして、操作者は、紙幣スタッカ内の異物等を除去した後、紙幣スタッカをスタッカ鍵で閉める（Ｓ６０７）。
【００５５】
紙幣スタッカを閉めるための鍵操作を検出すると、自動取引装置１内に配設されたカメラ４０が操作者を撮像し、その画像データをメモリ内に格納する（Ｓ６０８）。
【００５６】
スタッカ鍵で紙幣スタッカを閉めた操作者は、紙幣ユニット３８を自動取引装置１にセットする（Ｓ６０９）。
【００５７】
そして、紙幣スタッカを開閉するための鍵が操作されたか否か、すなわち、紙幣スタッカは開けられた痕跡があるか否かを判断する（Ｓ６１０）。例えば、紙幣ユニット３８内のメモリに開閉履歴が残っているか否かを判断する。
【００５８】
操作されていない場合は、自動取引装置１の運用を再開する（Ｓ６１１）。
操作されていた場合は、メモリに格納されている紙幣スタッカ内の紙幣の枚数情報を、システムメモリの所定領域に一時的に格納（退避）する（Ｓ６１２）。
【００５９】
次に、紙幣スタッカ内の現在の紙幣の枚数を計数し（Ｓ６１３）、計数した枚数をシステムメモリの所定領域に一時的に格納する（Ｓ６１４）。
【００６０】
そして、Ｓ６１２で格納した枚数情報とＳ６１３で計数した枚数をシステムメモリから読出し、両枚数が一致するか否かを判断する（Ｓ６１５）。
【００６１】
一致する場合は、図７に例示するような一致情報としての精査結果をホストコンピュータに送信する（Ｓ６１６）。一致情報は、例えば、図７に例示するように、少なくとも、「精査結果」が一致していることを示す情報「”一致”」、紙幣スタッカ内の紙幣枚数である「装置内紙幣枚数」の「スタッカ枚数情報」を示す「ＸＸＸ」等を含む。
そして、自動取引装置１の運用が再開する（Ｓ６１７）。
【００６２】
両枚数が一致しない場合は、図８に例示するような不一致情報としての精査結果をホストコンピュータに送信する（Ｓ６１８）。不一致情報は、例えば、図８に例示するように、少なくとも、「精査結果」が不一致であることを示す情報「”不一致”」、計数前後及びその差額それぞれの紙幣スタッカ内の紙幣枚数である「装置内紙幣枚数」の「スタッカ枚数情報」を示す「ＸＸＸ」、「差額（金額）」を示す「”ＸＸＸ”」等を含む。また、不一致情報は、Ｓ６０５で撮像した「スタッカ開」時の「カメラ撮像画像」及びその撮像「日時」、Ｓ６０８で撮像した「スタッカ閉」時の「カメラ撮像画像」及びその撮像「日時」を含む。そして、操作者は何もせず、自動取引装置１の運用を休止のままにしておく（Ｓ６１９）。
【００６３】
図９は、本実施の形態の自動取引装置の機能ブロックを示す図である。
図９において、自動取引装置１は、カメラ４０、スタッカ５６、メモリ９１及び制御部９２を備える。制御部９２は、スタッカ開閉検出部９３、計数部９４、比較判断部９５、送信部９６及び画像取得部９７を備える。自動取引装置１は、後述する在高管理処理を実行するための在高管理プログラムを搭載したコンピューターシステムである。自動取引装置１は、利用者の操作に応じてホストコンピュータ２と通信し、取引を実行する。
【００６４】
ホストコンピュータ２は、受信部９８を備える。そして、自動取引装置１及びホストコンピュータ２は、自動取引システムを構成する。
【００６５】
スタッカ５６は、自動取引装置１の筐体内部に固定され、入出金するための紙幣又は硬貨を一時的に収納する。スタッカ５６は、紙幣を収納する紙幣スタッカ、又は硬貨を収納する硬貨スタッカに対応する。
【００６６】
メモリ９１は、スタッカ５６に収納されている紙幣又は硬貨の枚数情報を格納する。また、メモリ９１は、カメラ４０が撮像した画像データを撮像日時とともに格納する。また、メモリ９１は、スタッカ５６が操作されたことを示す情報、例えばスタッカ鍵でスタッカの扉が開閉操作されたことを示すフラグを格納する。
【００６７】
スタッカ開閉検出部９３は、スタッカ５６の扉が開閉操作されたことを検出する。例えば、スタッカ鍵でスタッカの扉が開閉操作された際、開閉操作されたことを示す信号をスタッカ５６から受信するようにしても良いし、メモリ９１に格納されたフラグを参照してしても良い。
【００６８】
計数部９４は、スタッカ開閉検出部９３によってスタッカ５６の扉を閉めるための鍵操作を検出すると、スタッカ５６に収納されている紙幣又は硬貨の枚数を計数する。例えば、スタッカ５６から紙幣が一枚ずつ繰出され、搬送部５８で鑑別部５３へ搬送され、鑑別部５３において鑑別処理と紙幣のカウントが行われた後、紙幣は計数用スタッカ５７へ一時的に収容される。そして、スタッカ５６内の全ての紙幣の処理が終わった後に、紙幣は計数用スタッカ５７からスタッカ５６へと再び搬送部５８で搬送される。また、計数部９４は、計数した紙幣又は硬貨の枚数をメモリ９１に格納する。
【００６９】
比較判断部９５は、メモリ９１に格納された紙幣又は硬貨の枚数情報と、計数部９４によって計数された紙幣又は硬貨の枚数を比較する。そして、両者が一致するか否かを判断する。
【００７０】
送信部９６は、比較判断部９５によって判断された判断結果をホストコンピュータ２に送信する。例えば、比較判断部９５によって一致しないと判断された場合は、一致しないことを示す判断結果を送信する。また、送信部９６は、比較判断部９５によって一致すると判断された場合は、一致することを示す判断結果を送信する。
【００７１】
画像取得部９７は、スタッカ開閉検出部９３によってスタッカの扉を開けるための鍵操作を検出すると、カメラ４０を制御して操作者を撮影し、第１操作者画像を取得する。また、画像取得部９７は、スタッカ開閉検出部９３によってスタッカの扉を閉めるための鍵操作を検出すると、操作者を撮影して第２操作者画像を取得する。この場合、送信部９６は、画像取得部９７によって取得された第１操作者画像及び第２操作者画像をホストコンピュータ２に送信する。
受信部９８は、自動取引装置１の送信部９６から送信された判断結果を受信する。
【００７２】
次に、自動取引装置１が実行する「在高管理処理」について説明する。
図１０は、本実施の形態の在高管理処理の流れを示すフローチャートである。
【００７３】
まず、ステップＳ１００１において、スタッカ開閉検出部９３は、スタッカ５６の扉を開けるための鍵操作を検出したか否かを判断する。例えば、スタッカ鍵でスタッカ５６の扉が開いたことを示す信号を受信したか否かを判断する。スタッカ５６の扉が開いたことを検知しない場合（ステップＳ１００１：ＮＯ）、自動取引装置１は、スタッカ５６の扉を開けるための鍵操作を検出するまで待機する。
【００７４】
他方、スタッカ５６の扉が開いたことを検知すると（ステップＳ１００１：ＹＥＳ）、ステップＳ１００２において、画像取得部９７は、カメラ４０を制御して操作者を撮影し、第１操作者画像を取得する。
【００７５】
そして、ステップＳ１００３において、スタッカ開閉検出部９３は、スタッカ５６の扉を閉めるための鍵操作を検出したか否かを判断する。例えば、スタッカ鍵でスタッカ５６の扉が閉まったことを示す信号を受信したか否かを判断する。スタッカ５６の扉が閉まったことを検知しない場合（ステップＳ１００３：ＮＯ）、自動取引装置１は、スタッカ５６の扉を閉めるための鍵操作を検出するまで待機する。
【００７６】
他方、スタッカ５６の扉が閉まったことを検知すると（ステップＳ１００３：ＹＥＳ）、ステップＳ１００４において、画像取得部９７は、カメラ４０を制御して操作者を撮影し、第２操作者画像を取得する。
【００７７】
次に、ステップＳ１００５において、比較判断部９５は、メモリ９１に格納された紙幣又は硬貨の枚数情報を読み出し、システムメモリの所定領域に一時的に格納する。
【００７８】
ステップＳ１００６において、計数部９４は、スタッカ５６に収納されている紙幣又は硬貨の枚数を計数し、計数した枚数をシステムメモリの所定領域に一時的に格納するとともにメモリ９１に格納する。
【００７９】
そして、ステップＳ１００７において、比較判断部９５は、ステップＳ１００５で読み出された枚数情報とステップＳ１００６で計数された枚数を比較し、両者が一致するか否かを判断する。
【００８０】
一致すると判断された場合（ステップＳ１００７：ＹＥＳ）、ステップＳ１００８において、送信部９６は、図７に例示するような一致することを示す判断結果を送信して、在高管理処理を終了する。
【００８１】
他方、一致しないと判断された場合（ステップＳ１００７：ＮＯ）、ステップＳ１００９において、送信部９６は、図８に例示するような一致しないことを示す判断結果を送信して、在高管理処理を終了する。
【００８２】
なお、ステップＳ１００２及びＳ１００４の撮像を省略することもできる。この場合、ステップＳ１００９では、「カメラ撮像画像」及びその撮像「日時」を除く判断結果を送信する。
【００８３】
上述したように、自動取引装置１からホストコンピュータに判断結果が送信されることで、現金が紛失したことを検出することが可能となる。更に、判断結果に撮像画像が付加されている場合には、紙幣等が紛失した状況を特定することが可能となる。
【００８４】
以上、本発明の実施の形態を、図面を参照しながら説明してきたが、本発明が適用される自動取引装置は、上述の実施の形態に限定されない。
【００８５】
また、上述してきた本発明の実施の形態は、自動取引装置の一機能としてハードウェアまたはＤＳＰ（Digital Signal Processor）ボードやＣＰＵボードでのファームウェアもしくはソフトウェアにより実現することができる。
【００８６】
また、本発明が適用される自動取引装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００８７】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したハードディスクやＲＯＭ及びＲＡＭ等のメモリ、外部記録装置、可搬記録媒体を、自動取引装置に供給し、その自動取引装置のコンピュータがプログラムを読み出し実行することによっても、達成されることは言うまでもない。
【００８８】
この場合、可搬記録媒体等から読み出されたプログラム自体が本発明の新規な機能を実現することになり、そのプログラムを記録した可搬記録媒体等は本発明を構成することになる。
【００８９】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００９０】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部又は全部を行ない、その処理によっても前述した実施の形態の機能が実現される。
【００９１】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施の形態の機能が実現され得る。
【００９２】
すなわち、本発明は、以上に述べた実施の形態に限定されるものではなく、本発明の要旨を逸脱しない範囲内で種々の構成又は形状を取ることができる。
【符号の説明】
【００９３】
１      自動取引装置
２      ホストコンピュータ
３      ネットワーク
１０      通帳挿入部
１１      カード挿入部
１２      硬貨入出金部
１３      紙幣入出金部
１４      表示入力部
３１      外扉
３２      内扉
３３      管理操作パネル
３４      ジャーナルプリンタ
３５      カード読取装置
３６      通帳発行機
３７      通帳プリンタ
３８      紙幣ユニット
３９      硬貨ユニット
４０      カメラ
５１      入出金部
５２      一時保留部
５３      鑑別部
５４      カセット
５５      リジェクト部
５６      スタッカ
５７      計数用スタッカ
５８      搬送部
９１      メモリ
９２      制御部
９３      スタッカ開閉検出部
９４      計数部
９５      比較判断部
９６      送信部
９７      画像取得部
９８      受信部
【図１】
0006290809.tif 000002
【図２】
0006290809.tif 000003
【図３】
0006290809.tif 000004
【図４】
0006290809.tif 000005
【図５】
0006290809.tif 000006
【図６】
0006290809.tif 000007
【図７】
0006290809.tif 000008
【図８】
0006290809.tif 000009
【図９】
0006290809.tif 000010
【図１０】
0006290809.tif 000011